(57)【要約】【課題】チェーンに掛かる負荷を増大させることなく、コンベヤケース内に搬送物が残留することを抑制したフローコンベヤを提供する。【解決手段】駆動スプロケット１４０と従動スプロケット１５０とに掛架された一条のチェーン１３０が、コンベヤケース１２０内を循環走行するとともに走行方向に対して左右両側に所定の間隔を開けてアタッチメントを具備し、該アタッチメントに固着した掻き板が、コンベヤケース１２０の天板１２２に設けられた投入口から投入された粉粒体をコンベヤケースの底板１２４に沿って搬送しコンベヤケース１２０の底板１２４に設けられた排出口から排出するものであって、掻き板が、底板１２４に対して垂直である垂直式スクレーパ１３２と底板１２４に対して傾倒した傾斜式スクレーパ１３１とを有していることによって、上記の課題を解決する。【選択図】図１
2009143720.tif 000002
【特許請求の範囲】
【請求項１】
駆動スプロケットと従動スプロケットとに掛架された一条のチェーンが、コンベヤケース内を循環走行するとともに走行方向に対して左右両側に所定の間隔を開けてアタッチメントを具備し、該アタッチメントに固着した掻き板が、前記コンベヤケースの天板に設けられた投入口から投入された粉粒体をコンベヤケースの底板に沿って搬送しコンベヤケースの底板に設けられた排出口から排出するフローコンベヤにおいて、
前記掻き板が、前記底板に対して垂直である垂直式スクレーパと前記底板に対して傾倒した傾斜式スクレーパとを有していることを特徴とするフローコンベヤ。
【請求項２】
前記垂直式スクレーパが、前記底板に接触して走行し、前記傾斜式スクレーパが、前記底板との間に隙間を維持して走行することを特徴とする請求項１記載のフローコンベヤ。
【請求項３】
前記傾斜式スクレーパが、前記底板に対する傾斜角度を調整可能であることを特徴とする請求項１又は請求項２記載のフローコンベヤ。
【発明の詳細な説明】
【技術分野】
【０００１】
本発明は、穀類の粉体、粒体、粉炭、食品、薬品、樹脂などの粉粒体を搬送路に沿って敷設されたコンベヤケース内を循環走行するチェーンに取り付けられた掻き板により、コンベヤケースの底板に沿って搬送し、排出口から排出するフローコンベヤに関し、特に、コンベヤケース内においてチェーンが床板から浮き上がることを防止する機能を有するフローコンベヤに関する。
【背景技術】
【０００２】
一条のローラチェーンの走行方向に対して左右両側に所定の間隔を開けて取り付けられた掻き板が、コンベヤケース内を循環走行し、投入口から投入された粉粒体をコンベヤケースの底板に沿って搬送し、排出口から排出するフローコンベヤであって、コンベヤケース内に搬送物である粉粒体が残留することを防止するためにローラーチェーンにコンベヤケースの床板に対して垂直である複数の垂直式スクレーパを備えたフローコンベヤが知られている（例えば、特許文献１参照）。
【０００３】
また、大きさや形が不揃いな異形材料であっても効率よく搬送するために、循環状のローラチェーンに床板に対して傾倒した複数の傾斜式スクレーパを備えたフローコンベヤが知られている（例えば、特許文献２参照）である。
【特許文献１】特開２００６−１６１５４号公報
【特許文献２】特開２００４−２１０５３１号公報
【発明の開示】
【発明が解決しようとする課題】
【０００４】
ところが、前記特許文献１に開示されたフローコンベヤは、ローラチェーンに固設された垂直式スクレーパが、コンベヤケースの床板を掻きながら走行するため、コンベヤケースの床板に搬送物が堆積している場合、堆積物に垂直式スクレーパが乗り上げ、ローラチェーンが浮き上がってしまいフローコンベヤの搬送効率が低下するという課題が指摘されている。そこで、ローラチェーンの浮き上がりを防止するためにコンベヤケース内の床板に沿って走行するローラチェーンを上方から押さえ込む浮き上がり防止体を複数設けることも行われているが、浮き上がり防止体によってローラチェーンを床板に押さえ込むことによって、ローラチェーンに掛かる抵抗が増加し、惹いては、ローラチェーンを循環走行させるための駆動源が過負荷状態になりフローコンベヤの運転停止を余儀なくされるという課題が懸念されている。
【０００５】
一方、前記特許文献２に開示されたフローコンベヤは、ローラチェーンに固設された傾斜式スクレーパが、コンベヤケースの床板を直接掻きながら走行するため、コンベヤケース内に残留する搬送物を少なくすることができるが、その分、大きな力がローラチェーンに掛かり、駆動源が大型化するなどの課題が指摘されている。
【０００６】
そこで、本発明が解決しようとする技術的課題、すなわち、本発明の目的は、チェーンに掛かる負荷を増大させることなく、コンベヤケース内に搬送物が残留することを抑制したフローコンベヤを提供することを目的とする。
【課題を解決するための手段】
【０００７】
まず、本請求項１に係る発明は、駆動スプロケットと従動スプロケットとに掛架された一条のチェーンが、コンベヤケース内を循環走行するとともに走行方向に対して左右両側に所定の間隔を開けてアタッチメントを具備し、該アタッチメントに固着された掻き板が、前記コンベヤケースの天板に設けられた投入口から投入された粉粒体をコンベヤケースの底板に沿って搬送し、コンベヤケースの底板に設けられた排出口から排出するフローコンベヤにおいて、前記掻き板が、前記底板に対して垂直である垂直式スクレーパと前記底板に対して傾倒した傾斜式スクレーパとを有していることによって、前記課題を解決したものである。
【０００８】
そして、本請求項２に係る発明は、請求項１に係るフローコンベヤにおいて、前記垂直式スクレーパが、前記底板に接触して走行し、前記傾斜式スクレーパが、前記底板との間に隙間を維持して走行することにより、前記課題をさらに解決したものである。
【０００９】
また、本請求項３に係る発明は、請求項１又は請求項２に係るフローコンベヤにおいて、前記傾斜式スクレーパが、前記底板に対する傾斜角度を調整可能であることにより、前記課題をさらに解決したものである。
【発明の効果】
【００１０】
本請求項１に係る発明によれば、駆動スプロケットと従動スプロケットとに掛架された一条のチェーンが、コンベヤケース内を循環走行するとともに走行方向に対して左右両側に所定の間隔を開けてアタッチメントを具備し、このアタッチメントに固着された掻き板が、コンベヤケースの天板に設けられた投入口から投入された粉粒体をコンベヤケースの底板に沿って搬送し、コンベヤケースの底板に設けられた排出口から排出するフローコンベヤにおいて、掻き板が、底板に対して垂直である垂直式スクレーパと底板に対して傾倒した傾斜式スクレーパとを有していることによって、垂直スクレーパによりコンベヤケースの床板に沿って搬送される搬送物の残留を抑制するとともに、傾斜式スクレーパが搬送物の中を走行することにより、傾斜式スクレーパに垂直方向の分力が加わりチェーンを床板に押し付ける作用が働くため、垂直スクレーパによる残留抑制効果と傾斜式スクレーパによるチェーン浮き上がり抑制効果が相乗的に作用し、きわめて高い搬送効率が実現できる。
【００１１】
そして、本請求項２に係る発明によれば、請求項１に係るフローコンベヤが奏する効果に相乗して、垂直式スクレーパが、底板に接触して走行し、傾斜式スクレーパが、底板との間に隙間を維持して走行することにより、傾斜式スクレーパと床板との間に摩擦抵抗が生じることが防止されるとともに傾斜式スクレーパに生じる前述した垂直方向の分力が底板に吸収されることなく全てチェーンに加わるため、垂直式スクレーパが残留物に乗り上がることなく、きわめて高い残留抑制効果が実現できる。
ここで、「垂直方向の分力が底板に吸収される」とは、傾斜式スクレーパに生じた垂直方向の分力としては、まだ、十分にチェーンを床板に押さえ込むだけの大きさを有しているのにも関わらず、傾斜式スクレーパが床板と接触していることにより、それ以上チェーンを床板に押さえ込むことができないことを意味している。
【００１２】
また、本請求項３に係る発明によれば、請求項１又は請求項２に係るフローコンベヤが奏する効果に相乗して、傾斜式スクレーパが、底板に対する傾斜角度を調整可能であることにより、搬送物である粉粒体の直径や重量に応じて傾斜式スクレーパに生じる垂直方向の分力の大きさを変更することができるため、垂直スクレーパによる残留抑制効果と傾斜式スクレーパによるチェーン浮き上がり抑制効果との一層高い相乗効果を実現することができる。
【発明を実施するための最良の形態】
【００１３】
本発明は、駆動スプロケットと従動スプロケットとに掛架された一条のチェーンが、コンベヤケース内を循環走行するとともに走行方向に対して左右両側に所定の間隔を開けてアタッチメントを具備し、このアタッチメントに固着された掻き板が、コンベヤケースの天板に設けられた投入口から投入された粉粒体をコンベヤケースの底板に沿って搬送し、コンベヤケースの底板に設けられた排出口から排出するフローコンベヤにおいて、掻き板が、底板に対して垂直である垂直式スクレーパと底板に対して傾倒した傾斜式スクレーパとを有していることによって、チェーンに掛かる負荷を増大させることなく、コンベヤケース内に搬送物が残留することを抑制するものであれば、その具体的な実施の形態は、如何なるものであっても何ら構わない。
例えば、垂直式スクレーパと傾斜式スクレーパは、交互に設置しても良いし、垂直式スクレーパ２つに対して傾斜式スクレーパ１つを設置しても良い。
【００１４】
本発明の一実施例を図１乃至図６に基づいて説明する。
ここで、図１は本発明の実施例であるフローコンベヤの側壁板を外した状態における側面図であり、図２は、図１のＩＩ部における拡大図であり、図３は、図２を矢視ＩＩＩ方向から見たときの上面図であり、図４は、図１のＩＶ−ＩＶ線位置で矢印方向に見た断面図であり、図５は、掻き板の正面図であり、図６は、傾斜式スクレーパの傾斜角度の調整機構を説明する側面図である。
【００１５】
本発明の一実施例であるフローコンベヤ１００は、図１に示すように、コンベヤケース１２０内に枢設された一対の駆動スプロケット１４０と従動スプロケット１５０間に掛架されコンベヤケース１２０内を循環走行する一条のチェーン１３０と、そのチェーン１３０の走行方向に対して左右両側に所定の間隔を開けて取り付けられたアタッチメントに固着された掻き板とからなる。
【００１６】
このフローコンベヤ１００は、掻き板を取り付けたチェーン１３０が、コンベヤケース１２０内を循環走行し、コンベヤケース１２０の天板１２２に設けられた投入口１２０ａから投入された粉粒体Ｍをコンベヤケース１２０の底板１２４に沿って搬送し、排出口１２０ｂから排出するものである。なお、図１において参照符号１９０を付した部材は、テークアップ手段であり、チェーン１３０に伸びが生じたとき、テークアップ手段１９０により従動スプロケット１５０を移動して張力を調整するために使用される。
【００１７】
また、フローコンベヤ１００は、図１及び図４に示すように、チェーン１３０の戻り側において、チェーン１３０が内接するレール１６０と、コンベヤケース１２０の側壁板１２６、１２８間に適宜間隔で複数配設されたレール１６０を支持するレール支持部材１６２を有している。
【００１８】
チェーン１３０は、図３及び図４に示すように、２本のブシュ（図示略）の両端が、一対の内プレート１３３に穿孔されたブシュ孔（図示略）にそれぞれ圧入され、ブシュ（図示略）に遊嵌されたローラ１３４を有する内リンクＩＬと、隣接した内リンクＩＬ、ＩＬのブシュ内に遊貫された２本のピン１３６の両端が、一対の内プレート１３３の両外側に配置された一対の外プレート１３５に穿孔されたピン孔（図示略）にそれぞれ圧入された外リンクＯＬとを有し、内リンクＩＬと外リンクＯＬとがピン１３６により交互に屈曲可能に連結された構成を有している。
【００１９】
掻き板は、図２に示すように、コンベヤケース１２０の底板１２４に対して垂直である垂直式スクレーパ１３２と、底板１２４に対して傾倒した傾斜式スクレーパ１３１とを有している。この垂直式スクレーパ１３２及び傾斜式スクレーパ１３１は、図５に示すように中央にチェーン１３０が収まる切欠部Ｋとアタッチメントに螺設するためのボルトＢが挿通する取付孔Ｈを有しており、コンベヤケース１２０の側壁板１２６、１２８間に略相当する長さのものである。この傾斜式スクレーパ１３１及び垂直式スクレーパ１３２は、図３に示すように、内リンクＩＬを構成する一対の内プレート１３３の外側に一体に形成されたアタッチメント１３７、１３８に固定されることにより、チェーン１３０の走行方向左右両側に、チェーン長手方向に所定の間隔で取り付けられる。なお、アタッチメント１３７、１３８は、内プレート１３３に一体に形成する替わりに外プレート１３５に一体に形成しても構わない。また、一体に形成することに替えて、別体として溶接、ボルトなどで内プレート１３３又は外プレート１３５に固定しても構わない。
【００２０】
傾斜式スクレーパ１３１及び垂直式スクレーパ１３２は、前述したように図５に示すように同じ形状を有しており、その結果、部品管理負担及び製造コストが軽減される。さらに、アタッチメント１３７に傾斜式スクレーパ１３１を螺設した際に、図２に示すように、コンベヤケース１２０と傾斜式スクレーパ１３１の下端面との間に隙間Ｓが形成される。その結果、傾斜式スクレーパ１３１と床板１２４との間に摩擦抵抗が生じることが防止されるとともに傾斜式スクレーパ１３１が粉粒体の中を進行させることによって生じる粉粒体が傾斜式スクレーパ１３１を下方に押さえ込む垂直方向の分力が底板１２４に吸収されることなくチェーン１３０に加わるため、垂直式スクレーパ１３２が残留物に乗り上がることなく、きわめて高い残留抑制効果が実現できる。
【００２１】
次に傾斜式スクレーパ１３１の底板に対する傾斜角度を調整可能とするための手段について、図６に基づいて説明する。図６（ａ）は、通常の傾斜角度αを有する傾斜スクレーパ１３１を示している。すなわち、チェーンの内プレートに、内プレートの底辺に対して傾斜角度αを有しているアタッチメント１３７に直接、傾斜式スクレーパ１３１がボルトＢ及びナットＮによって取り付けられている。
【００２２】
図６（ｂ）は、ボルトＢの頭部と傾斜式スクレーパ１３１との間に断面楔形をしたディスタンスピース１３１ａを挟み、傾斜式スクレーパ１３１とアタッチメント１３７との間に同じく断面楔形をしたディスタンスピース１３１ｂを挟みディスタンスピース１３１ａと傾斜式スクレーパ１３１とディスタンスピース１３１ｂの３部材を一緒にボルトＢとナットＮによって、アタッチメント１３７に螺設している。
【００２３】
ディスタンスピース１３１ａ、１３１ｂは、ボルトＢが挿通できる挿通孔を有し傾斜式スクレーパ１３１の厚みと同程度の高さを有した円筒状物の側面を端面に対して交差角がβである面で切断して２つの部材に分けることによって、製造することができる。このようなディスタンスピース１３１ａ、１３１ｂによって傾斜式スクレーパ１３１を挟んでボルトＢとナットＮによってアタッチメント１３７に共締めすることによって、傾斜式スクレーパ１３１は、床板１２４に対して、アタッチメント１３７の傾斜角度α及びディスタンスピース１３１ａ、１３１ｂによって形成される傾斜角度βを減算した傾斜角度α−βを有するように設置できる。
【００２４】
さらに、図６（ｃ）は、ボルトＢの頭部と傾斜式スクレーパ１３１との間に断面楔形をしたディスタンスピース１３１ｃを挟み、傾斜式スクレーパ１３１とアタッチメント１３７との間に同じく断面楔形をしたディスタンスピース１３１ｄを挟みディスタンスピース１３１ｃと傾斜式スクレーパ１３１とディスタンスピース１３１ｄの３部材を一緒にボルトＢとナットＮによって、アタッチメント１３７に螺設している。
【００２５】
ディスタンスピース１３１ｃ、１３１ｄは、前述したディスタンスピース１３１ａ、１３１ｂと同様な方法によって、製造することができる。すなわち、ボルトＢが挿通できる挿通孔を有し傾斜式スクレーパ１３１の厚みと同程度の高さを有した円筒状物の側面を端面に対して交差角がγである面で切断して２つの部材に分けることによって、製造することができる。このようなディスタンスピース１３１ｃ、１３１ｄによって傾斜式スクレーパ１３１を挟んでボルトＢとナットＮによってアタッチメント１３７に共締めすることによって、傾斜式スクレーパ１３１は、床板１２４に対して、アタッチメント１３７の傾斜角度α及びディスタンスピース１３１ｃ、１３１ｄによって形成される傾斜角度γを減算した傾斜角度α−γを有するように設置できる。
【００２６】
このように、円筒状物の側面を切断するときの端面に対する交差角を変更することによって、傾斜式スクレーパ１３１の底板１２４に対する傾斜角度を簡単にかつ細かく調整することができ、その効果は甚大である。
【００２７】
また、傾斜式スクレーパ１３１に穿孔する取付孔Ｈは、傾斜式スクレーパ１３１を最も傾斜したときに、すなわち、図６においては、（ｃ）の状態のときに取付用のボルトＢが挿通できるようにボルトＢの外径よりも大きな孔径を有している。
【００２８】
また、本発明のフローコンベヤのチェーンを構成する各プレート、ブシュ、ピン、ローラ、アタッチメント、傾斜式スクレーパ、垂直式スクレーパ等の各部品は、鋼鉄、ステンレスなど金属製のものとすることが好ましいが、適宜の部品を他の金属製のものにしたり合成樹脂製のものとしても構わない。
【図面の簡単な説明】
【００２９】
【図１】本発明の実施例であるフローコンベヤの側面図。
【図２】図１のＩＩ部における拡大図。
【図３】図２を矢視ＩＩＩ方向から見たときの上面図。
【図４】図１のＩＶ−ＩＶ線位置で矢印の方向に見た断面図。
【図５】掻き板の正面図。
【図６】傾斜式スクレーパの傾斜角度の調整機構を説明する側面図。
【符号の説明】
【００３０】
１００  ・・・  フローコンベヤ
１２０  ・・・  コンベヤケース
１２０ａ・・・  投入口
１２０ｂ・・・  排出口
１２２  ・・・（コンベヤケースの）天板
１２４  ・・・（コンベヤケースの）床板
１２６、１２８  ・・・（コンベヤケースの）側壁板
１３０  ・・・  チェーン
１３１  ・・・  傾斜式スクレーパ
１３２  ・・・  垂直式スクレーパ
１３３  ・・・（チェーンの）内プレート
１３４  ・・・（チェーンの）ローラ
１３５  ・・・（チェーンの）外プレート
１３６  ・・・（チェーンの）ピン
１３７、１３８  ・・・アタッチメント
１４０  ・・・  駆動スプロケット
１５０  ・・・  従動スプロケット
１６０  ・・・  レール
１６２  ・・・  レール支持部材
ＩＬ    ・・・  内リンク
ＯＬ    ・・・  外リンク
【図１】
2009143720.tif 000003
【図２】
2009143720.tif 000004
【図３】
2009143720.tif 000005
【図４】
2009143720.tif 000006
【図５】
2009143720.tif 000007
【図６】
2009143720.tif 000008